(57)【要約】      （修正有）【課題】簡単に組み立てたり折畳んだりすることができる簡易折畳み式ルームユニットを提供する。【解決手段】複数の縦フレーム材１３及び複数の横フレーム材１１、１２が接続されて構成されるフレーム体１０と、前記フレーム体１０内に配置され、内部に空間を形成する仕切り体５０とを有する折畳み式ルームユニット１００であって、前記複数の縦フレーム材１３と前記複数の横フレーム材１１、１２との接続部及び前記複数の縦フレーム材１３の略中央部が折曲可能であることを特徴とする。【選択図】図１
0003148139.tif 000002
【実用新案登録請求の範囲】
【請求項１】
複数の縦フレーム材及び複数の横フレーム材が接続されて構成されるフレーム体と、
前記フレーム体内に配置され、内部に空間を形成する仕切り体とを有する折畳み式ルームユニットであって、
前記複数の縦フレーム材と前記複数の横フレーム材との接続部及び前記複数の縦フレーム材の略中央部が折曲可能であることを特徴とする折畳み式ルームユニット。
【請求項２】
前記複数の縦フレーム材のそれぞれは、互いに重なり合うことなく前記複数の横フレーム材に沿って折曲可能であることを特徴とする請求項１に記載の折畳み式ルームユニット。
【請求項３】
前記複数の縦フレーム材は、前記略中央部に設けられたヒンジ体によって折曲可能であって、
前記複数の縦フレーム材には、前記複数の縦フレーム材の伸長を保持するサポート部材が取り外し可能に設けられていることを特徴とする請求項１又は２に記載の折畳み式ルームユニット。
【請求項４】
前記縦フレーム材と前記横フレーム材との間には、前記縦フレーム材と前記横フレーム材との間の折曲を防止するステー部材が取り外し可能に設けられていることを特徴とする請求項１乃至３の何れか１項に記載の折畳み式ルームユニット。
【請求項５】
前記ステー部材は、前記横フレーム材に回動自在に軸支され、前記横フレーム材に沿って係止可能であることを特徴とする請求項４に記載の折畳み式ルームユニット。
【請求項６】
前記仕切り体には、内部の空間内の空気を調節する空調装置のノズルが挿入される挿入口が設けられていることを特徴とする請求項１乃至５の何れか１項に記載の折畳み式ルームユニット。
【考案の詳細な説明】
【技術分野】
【０００１】
本考案は、簡単に組み立てたり折り畳んだりすることができる折畳み式ルームユニットに関するものである。
【背景技術】
【０００２】
従来、解体及び運搬ができるようなルームユニットとして、特許文献１に開示された組立式家屋が知られている。この組立式家屋は、地上に立設される内方支持手段及び外方支持手段と、床ユニットとにより床面を形成し、更に、壁ユニットやテント屋根を取り付けることにより組み立てることができる。
【０００３】
【特許文献１】特開平８−２８４２５５号公報
【考案の開示】
【考案が解決しようとする課題】
【０００４】
しかしながら、特許文献１に開示された組立式家屋では、多数の部品を必要とし、その構造も複雑なために、組み立てや解体に慣れない使用者の場合、家屋を組み立てたり、解体したりするのが非常に困難であり、時間を要してしまうという問題がある。
本考案は、上述したような問題点に鑑みてなされたものであり、慣れていない使用者であっても、簡単に組み立てたり折り畳んだりすることができる折畳み式ルームユニットを提供することを目的とする。
【課題を解決するための手段】
【０００５】
本考案は、複数の縦フレーム材及び複数の横フレーム材が接続されて構成されるフレーム体と、前記フレーム体内に配置され、内部に空間を形成する仕切り体とを有する折畳み式ルームユニットであって、前記複数の縦フレーム材と前記複数の横フレーム材との接続部及び前記複数の縦フレーム材の略中央部が折曲可能であることを特徴とする。
また、前記複数の縦フレーム材のそれぞれは、互いに重なり合うことなく前記複数の横フレーム材に沿って折曲可能であることを特徴とする。
また、前記複数の縦フレーム材は、前記略中央部に設けられたヒンジ体によって折曲可能であって、前記複数の縦フレーム材には、前記複数の縦フレーム材の伸長を保持するサポート部材が取り外し可能に設けられていることを特徴とする。
また、前記縦フレーム材と前記横フレーム材との間には、前記縦フレーム材と前記横フレーム材との間の折曲を防止するステー部材が取り外し可能に設けられていることを特徴とする。
また、前記ステー部材は、前記横フレーム材に回動自在に軸支され、前記横フレーム材に沿って係止可能であることを特徴とする。
また、前記仕切り体には、内部の空間内の空気を調節する空調装置のノズルが挿入される挿入口が設けられていることを特徴とする。
【考案の効果】
【０００６】
本考案によれば、組み立てたり折り畳んだりすることに慣れていない使用者であっても、折畳み式ルームユニットを簡単に組み立てたり折り畳んだりすることができる。
また、本考案によれば、例えば、折畳み式ルームユニットを折り畳む場合、よりコンパクトに折り畳むことができる。
また、本考案によれば、例えば、折畳み式ルームユニットの仕切り体内の空間に冷気を充填させる等して、空調を調えることにより、熱中症予防対策としての簡易スポットルームとして用いることができる。
【考案を実施するための最良の形態】
【０００７】
以下、本考案の実施形態について、図面を参照して説明する。
図１は、本実施形態に係る折畳み式ルームユニット１００の概略構成及び折畳み式ルームユニット１００内の空間の空調を調えるスポットクーラ２００の概略構成を示す図である。
本実施形態に係る折畳み式ルームユニット１００は、フレーム体１０と、仕切り体５０とを含んで構成されている。フレーム体１０は、複数の横フレーム材１１、１２と、複数の縦フレーム材１３とが接続されて、縦長の直方体状に構成されている。ここで、横フレーム材１１、１２は、直方体の底面及び上面に対応配置されている。また、縦フレーム材１３は、側面に対応配置されている。
【０００８】
仕切り体５０は、フレーム体１０の内側に沿って配置される。仕切り体５０は、内部に数人が入ることができる程度の空間を形成している。より具体的に説明すると、仕切り体５０は、４つの側面と上面とを有している。また、仕切り体５０は、柔軟性があり、且つ断熱性がある材質で形成されている。特に、外側に露出している側の表面は、太陽光を反射する反射率の高い材質で形成されている。また、仕切り体５０の４つの側面５１ａ〜５１ｄ（側面５１ｃは、側面５１ａに対向配置される）のうち１つの側面５１ａは、使用者が仕切り体５０内に出入りすることができるように、図１に示すように中央から左右に開くことができるようになっている。なお、この側面５１ａを閉めることで、仕切り体５０内の空間と仕切り体５０外との間の空気の出入りを、実質的に遮断することができる。また、仕切り体５０は、紐若しくはフック等の掛止手段によって、横フレーム材１２から吊り下げられている。
【０００９】
更に、仕切り体５０の４つの側面のうち対向する２つの側面５１ｂ、５１ｄの一部には、外から仕切り体５０内の様子を視認できるように、図１に示すような窓５２ａ、５２ｂが、透明性のある材質で形成されている。更に、仕切り体５０の４つの側面のうち１つの側面５１ｂには、スポットクーラ２００のノズル２０１が挿入される挿入口５３が開口されている。なお、窓５２ａ、５２ｂや挿入口５３は、何れの側面に形成されていてもよい。
【００１０】
スポットクーラ２００は、空気を調節する空調装置の一例である。スポットクーラ２００は、ノズル２０１から大気より低い温度の冷気を送出することができる。したがって、スポットクーラ２００のノズル２０１を仕切り体５０の挿入口５３に挿入した状態で、スポットクーラ２００を駆動することにより、仕切り体５０内に冷気を充填させることができる。
このように、仕切り体５０内に冷気を充填させることにより、例えば、夏の炎天下で作業を行う作業者等に対して、熱中症予防対策としての簡易スポットルームを提供することができる。なお、空調装置としては、冷気を送出するスポットクーラ２００に限られない。例えば、暖気を送出するような暖房装置を用いることで、仕切り体５０内に暖気を充填させることができる。したがって、例えば、寒所で作業を行う作業者等に対して、防寒対策としての簡易スポットルームを提供することができる。
【００１１】
ここで、図１に示すフレーム体１０は、簡単に折り畳んだり組み立てたりすることができるように構成されている。フレーム体１０を折り畳むことでコンパクトになり、容易に運搬することができる。したがって、上述した作業現場等にも、容易に持ち運ぶことができる。
【００１２】
次に、図２Ａ〜図４Ａ、図２Ｂ〜図４Ｂを参照して、フレーム体１０の構成及びフレーム体１０の折り畳み動作について説明する。
図２Ａは、フレーム体１０の概略構成を示す図である。
図２Ａに示すように、フレーム体１０は、複数の横フレーム材１１（１１ａ〜１１ｄ）、１２（１２ａ〜１２ｄ）と複数の縦フレーム材１３（１３ａ〜１３ｄ）とが接続されて構成されている。これら複数の横フレーム材１１ｂ〜１１ｄ、１２ａ〜１２ｄ及び複数の縦フレーム材１３ａ〜１３ｄは、例えば材質をアルミニウム又はアルミニウム合金等とする中空状のパイプである。なお、横フレーム材１１ａは、出入り口に位置するため、足が引っ掛からないように、平板材を用いるのが好ましい。
【００１３】
ここで、横フレーム材のうち横フレーム材１１ａ〜１１ｄは、床面に配設されている。ここでは、４本の横フレーム材１１ａ〜１１ｄが、それぞれの端部を互いに直交して接続され、平面視すなわち上方から見ると矩形状に形成されている。また、４本の横フレーム材１１ａ〜１１ｄには、隣り合う横フレーム材１１ａ〜１１ｄ同士間に斜めに架け渡された複数の筋交１４が設けられている。更に、４本の横フレーム材１１ａ〜１１ｄのうち、対向する横フレーム材１１ａ、１１ｃ間には、複数の補強板１５が架け渡されている。このように、複数の横フレーム材１１ａ〜１１ｄは、筋交１４や補強板１５により、矩形状を維持して、剛性が確保される。
【００１４】
次に、横フレーム材のうち複数の横フレーム材１２ａ〜１２ｄは、縦フレーム材１３ａ〜１３ｄを介して、天井部に配設されている。ここで、４本の横フレーム材１２ａ〜１２ｄは、それぞれの端部を互いに直交して接続され、平面視すなわち上方から見ると矩形状に形成されている。また、４本の横フレーム材１２ａ〜１２ｄには、上述した横フレーム材１１ａ〜１１ｄと同様に、隣り合う横フレーム材１２ａ〜１２ｄ同士間に斜めに架け渡された複数の筋交１６が設けられている。更に、４本の横フレーム材１２ａ〜１２ｄのうち、それぞれ対向する横フレーム材１２ａ〜１２ｄ間には、補強板１７が架け渡されている。このように、複数の横フレーム材１２ａ〜１２ｄは、筋交１６や補強板１７により、矩形状を維持して、剛性が確保される。
なお、本実施形態では、複数の横フレーム材１１ａ〜１１ｄ、１２ａ〜１２ｄは、それぞれ同一の長さで形成されている。したがって、複数の横フレーム材１１ａ〜１１ｄ、１２ａ〜１２ｄが接続された状態を、平面視すなわち上方から見ると正方形状に形成されている。
【００１５】
次に、縦フレーム材１３ａ〜１３ｄは、ルームの天井部を構成する横フレーム材１２ａ〜１２ｄと床面に配設される横フレーム材１１ａ〜１１ｄとを接続するように上下方向に配設されている。より具体的に説明すると、縦フレーム材１３ａ〜１３ｄは、天井部を構成する横フレーム材１２ａ〜１２ｄがそれぞれ直交に接続されている接続部と、床面に配設される横フレーム材１１ａ〜１１ｄがそれぞれ直交に接続されている接続部とを連結するように配設されている。
【００１６】
そして、天井部を構成する横フレーム材１２ａ〜１２ｄのうち、仕切り体５０内への出入り口に位置する横フレーム材１２ａ以外の横フレーム材１２ｂ〜１２ｄには対をなして、それぞれ近接する縦フレーム材１３ａ〜１３ｄに斜めに架け渡された複数のステー部材１８ａ〜１８ｆが配設されている。
このように、ステー部材１８ａ〜１８ｆが、横フレーム材１２ｂ〜１２ｄと縦フレーム材１３ａ〜１３ｄとを接続する筋交の役割を有することから、複数の横フレーム材１１ａ〜１１ｄ、１２ａ〜１２ｄ、縦フレーム材１３ａ〜１３ｄとから組み立てられるフレーム体１０全体として、直方体形状を維持して、剛性が確保される。
また、仕切り体５０内への出入り口に位置する横フレーム材１２ａからは、ステー部材が配設されていないので、使用者が仕切り体５０内に出入りするときの邪魔にならない。
【００１７】
次に、複数の縦フレーム材１３ａ〜１３ｄと複数の横フレーム材１１ａ〜１１ｄ、１２ａ〜１２ｄとの接続部及び複数の縦フレーム材１３ａ〜１３ｄの略中央部が折曲可能となっている構成について、図２Ｂを参照して、説明する。図２Ｂは、複数の縦フレーム材１３ａ〜１３ｄのうち、一つの縦フレーム材１３ａを拡大して示した斜視図である。また、図２Ｂでは、縦フレーム材１３ａの一部、途中を省略して図示している。
図２Ｂに示すように、縦フレーム材１３ａの上端部と、横フレーム材１２ａ及び横フレーム材１２ｂの接続部との間には、上ヒンジ体２１ａが配設され、縦フレーム材１３ａと、横フレーム材１２ａ及び横フレーム材１２ｂとの間の接続部が折曲可能となっている。より具体的に説明すると、上ヒンジ体２１ａは、３つの突棒部２２ａ、２２ｂ、２２ｃが互いに直角に接続される３つ股状に形成されている。突棒部２２ａ、２２ｂ、２２ｃはそれぞれ、縦フレーム材１３ａ、横フレーム材１２ａ、１２ｂのパイプ内に挿入した状態でボルト等（不図示）により固定されている。
そして、縦フレーム材１３ａと接続されている突棒部２２ａは、その中央付近で、横フレーム材１２ａと平行に配設されたヒンジピン２３を介して折曲可能に構成されている。すなわち、突棒部２２ａに接続された縦フレーム材１３ａは、伸長状態から矢印Ａ方向に示す、横フレーム材１２ｂ側の方向に折り曲げることができる。
【００１８】
なお、上述したように横フレーム材１２ｂと縦フレーム材１３ａとの間には、ステー部材１８ａが斜めに配設されているので、フレーム体１０が組み立てられた状態では、上ヒンジ体２１ａの折れ曲がりが防止され、縦フレーム材１３ａの垂直な状態が維持される。
ここで、ステー部材１８ａは、横フレーム材１２ｂに配設された頭付ピン２５ａ及び縦フレーム材１３ａに配設された頭付ピン２６ａが、ステー部材１８ａの両端部に形成された長溝２４ａ1、２４ａ2に挿入された状態で架け渡されている。これらの頭付ピン２５ａ、２６ａは、横フレーム材１２ａと平行に配設されている。
また、長溝２４ａ1は、頭付ピン２５ａが長溝２４ａ1内を摺動可能で、頭付ピン２５ａの頭部によって長溝２４ａ1と頭付ピン２５ａとが離脱できないような寸法に設定されている。
一方、長溝２４ａ2は、その中央に頭付ピン２６ａの頭部の径より大径な大径部２４ａ3を有していて、長溝２４ａ2と頭付ピン２６ａとが離脱できるように設定されている。
したがって、縦フレーム材１３ａを折り曲げるときには、ステー部材１８ａをスライドさせて、長溝２４ａ2の大径部２４ａ3と頭付ピン２６ａとの位置を合わせることにより、ステー部材１８ａの下端部を縦フレーム材１３ａから取り外すことができる。なお、ステー部材１８ａの下端部を縦フレーム材１３ａから取り外した状態にあっては、頭付ピン２５ａを中心として、ステー部材１８ａを自由に回動させることができる。
【００１９】
次に、縦フレーム材１３ａの下端部と、横フレーム材１１ａ及び横フレーム材１１ｂの接続部との間には、下ヒンジ体３６ａが配設され、縦フレーム材１３ａと、横フレーム材１１ａ及び横フレーム材１１ｂとの間の接続部が折曲可能となっている。この下ヒンジ体３６ａは、上述した上ヒンジ体２１ａと略同一構成である。したがって、縦フレーム材１３ａは、伸長状態から矢印Ｂ方向に示す、横フレーム材１１ｂ側の方向に折り曲げることができる。
【００２０】
次に、縦フレーム材１３ａの中央部（略中央部）には、中ヒンジ体２８ａが配設され、折曲可能となっている。ここで、縦フレーム材１３ａは、中ヒンジ体２８ａを介して、上部縦フレーム材１３ａ1と、下部縦フレーム材１３ａ2とに分かれている。中ヒンジ体２８ａは、２枚のヒンジ板２９ａ、２９ｂが重合して構成されている。ヒンジ板２９ａは、上部縦フレーム材１３ａ1に接続されている。また、ヒンジ板２９ｂは、下部縦フレーム材１３ａ2に接続されている。ヒンジ板２９ａとヒンジ板２９ｂとは、横フレーム材１２ａと平行に配設されたヒンジピン３０を介して折曲可能に構成されている。したがって、上部縦フレーム材１３ａ1と、下部縦フレーム材１３ａ2とは、伸長状態から矢印Ｃ方向に示す、上部縦フレーム材１３ａ1と、下部縦フレーム材１３ａ2とが重なり合う方向に折り曲がることができる。
【００２１】
なお、上部縦フレーム材１３ａ1と下部縦フレーム材１３ａ2との間には、中ヒンジ体２８ａに沿うようにして、サポート部材３１が付設されている。サポート部材３１は、フレーム体１０が組み立てられた状態では、中ヒンジ体２８ａによる折れ曲がりを防止し、縦フレーム材１３ａの伸長を保持する。
ここで、サポート部材３１は、上部縦フレーム材１３ａ1に配設された頭付ピン３３ａ及び下部縦フレーム材１３ａ2に配設された頭付ピン３４ａが、サポート部材３１の両端部に形成された長溝３２ａ1、３２ａ2に挿入された状態で架け渡されている。これらの頭付ピン３３ａ、３４ａは、横フレーム材１２ｂと平行に配設されている。
また、長溝３２ａ1は、頭付ピン３３ａが長溝３２ａ1内を摺動可能で、頭付ピン３３ａの頭部によって長溝３２ａ1と頭付ピン３３ａとが離脱できないような寸法に設定されている。
一方、長溝３２ａ2は、その中央に頭付ピン３４ａの頭部の径より大径な大径部３２ａ3を有していて、長溝３２ａ2と頭付ピン３４ａとが離脱できるように設定されている。
したがって、上部縦フレーム材１３ａ1と下部縦フレーム材１３ａ2との間を折り曲げるときには、サポート部材３１をスライドさせて、長溝３２ａ2の大径部３２ａ3と頭付ピン３４ａとの位置を合わせることにより、サポート部材３１の下端部を下部縦フレーム材１３ａ2から取り外す。なお、サポート部材３１の下端部を下部縦フレーム材１３ａ2から取り外した状態にあっては、頭付ピン３３ａを中心として、サポート部材３１を自由に回動させることができる。また、上部縦フレーム材１３ａ1の頭付ピン３３ａの上側には、頭付ピン３５ａが配設されている。したがって、サポート部材３１を図２Ｂに示す二点鎖線のように回動させて、長溝３２ａ2を頭付ピン３５ａに係止することで、サポート部材３１が、上部縦フレーム材１３ａ1と下部縦フレーム材１３ａ2とを折り曲げるときの邪魔にならない。
【００２２】
フレーム体１０を構成する複数の縦フレーム材１３ａ〜１３ｄは、上述した縦フレーム材１３ａと同様の構成になっている。すなわち、縦フレーム材１３ｂ〜１３ｄに配設される上ヒンジ体、中ヒンジ体、下ヒンジ体等の部品を共通化させている。また、フレーム体１０を折り畳む場合や組み立てる場合も、例えば、一つの縦フレーム材１３ａの折り曲げる方法及び組み立てる方法が分かれば、他の縦フレーム材１３ｂ〜１３ｄの構成も同様なので、容易にフレーム体１０、すなわち折畳み式ルームユニット１００を折り畳んだり組み立てたりすることができる。
【００２３】
次に、図３Ａ及び図３Ｂを参照して、フレーム体１０を折り畳む動作について説明する。
図３Ａは、フレーム体１０を折り畳む途中の状態を示す図である。なお、図３Ａでは、図２Ａで図示した筋交１４、１６を省略している。また、図３Ｂは、フレーム体１０を折り畳んでいる途中の複数の縦フレーム材１３ａ〜１３ｄのうち、一つの縦フレーム材１３ａを拡大して示した斜視図である。また、図３Ｂでは、縦フレーム材１３ａの一部、途中を省略して図示している。
ここで、フレーム体１０を折り畳むときには、上述したように縦フレーム材１３ａに架け渡されていたステー部材１８ａの下端部を縦フレーム材１３ａから取り外した状態にする。同様に、他のステー部材１８ｂ〜１８ｆについても、縦フレーム材１３ｂ〜１３ｄから取り外す。
また、サポート部材３１の下端部を下部縦フレーム材１３ａ2から取り外した状態にする。同様に、他のサポート部材についても、下部縦フレーム材から取り外す。
【００２４】
次に、図３Ｂに示すように、上ヒンジ体２１ａを介して、縦フレーム材１３ａを矢印Ａ方向、すなわち横フレーム材１２ｂ側の方向に折り曲げる。また、中ヒンジ体２８ａを介して、上部縦フレーム材１３ａ1と下部縦フレーム材１３ａ2とを矢印Ｃ方向、すなわち上部縦フレーム材１３ａ1と下部縦フレーム材１３ａ2とが重なり合う方向に折り曲げる。更に、下ヒンジ体３６ａを介して、縦フレーム材１３ａを矢印Ｂ方向、すなわち横フレーム材１１ｂ側の方向に折り曲げる。同様に、他の縦フレーム材１３ｂ〜１３ｄについても、上ヒンジ体、中ヒンジ体、下ヒンジ体を介して、折り曲げる。
【００２５】
ここで、図３Ａを参照して、縦フレーム材１３ａ〜１３ｄが折れ曲がる方向について説明する。まず、縦フレーム材１３ａは、縦フレーム材１３ａの中ヒンジ体２８ａが、隣接する縦フレーム材１３ｂが折れ曲がる前に位置していた方向に向かって、折れ曲がる。同様に、縦フレーム材１３ｂは、縦フレーム材１３ｂの中ヒンジ体２８ｂが、隣接する縦フレーム材１３ｃが折れ曲がる前に位置していた方向に向かって、折れ曲がる。同様に、縦フレーム材１３ｃは、縦フレーム材１３ｃの中ヒンジ体２８ｃが、隣接する縦フレーム材１３ｄが折れ曲がる前に位置していた方向に向かって、折れ曲がる。同様に、縦フレーム材１３ｄは、縦フレーム材１３ｄの中ヒンジ体２８ｄが、隣接する縦フレーム材１３ａが折れ曲がる前に位置していた方向に向かって、折れ曲がる。
すなわち、図３Ａに示すように、複数の縦フレーム材１３ａ〜１３ｄはそれぞれ、フレーム体１０の中心を通るように垂直に引いた仮想線Ｌに対して、仮想線Ｌを軸線とする回転方向Ｄに沿って折れ曲がる。
【００２６】
次に、図４Ａ及び図４Ｂを参照して、フレーム体１０を折り畳んだ状態について説明する。
図４Ａは、フレーム体１０を折り畳んだ状態を示す図である。なお、図４Ａでは、図２Ａで図示した筋交１４、１６を省略している。また、図４Ｂは、複数の縦フレーム材１３ａ〜１３ｄのうち、一つの縦フレーム材１３ａを拡大して示した斜視図である。また、図４Ｂでは、縦フレーム材１３ａの一部、途中を省略して図示している。なお、図４Ａ及び図４Ｂでは、ステー部材１８ａ〜１８ｆを省略して図示している。このステー部材１８ａ〜１８ｆについては、後述する。
図４Ｂに示すように、縦フレーム材１３ａは、横フレーム材１２ｂ及び横フレーム材１１ｂに沿って折り畳まれる。同様に、他の縦フレーム材１３ｂ〜１３ｄについても、横フレーム材１２ｃ〜１２ａ及び横フレーム材１１ｃ〜１１ａに沿って折り畳まれる。
【００２７】
ここで、図４Ａを参照して、フレーム体１０が折り畳まれた状態について説明する。図４Ａに示すように、複数の縦フレーム材１３ａ〜１３ｄは、それぞれが異なる横フレーム材１１ｂ〜１１ａ及び横フレーム材１２ｂ〜１２ａに沿って折り畳まれる。すなわち、折り畳まれた状態では、複数の縦フレーム材１３ａ〜１３ｄは、隣接するもの同士で互いに重なり合うことがない。したがって、フレーム体１０は、上下方向に寸法をより縮小させた状態にして、コンパクトに折り畳まれる。
【００２８】
次に、図５Ａ及び図５Ｂを参照して、ステー部材１８ａ〜１８ｆの回動動作について説明する。ここでは、横フレーム材１２ｂに軸支されているステー部材１８ａ、１８ｂを取り上げて説明する。
図５Ａは、ステー部材１８ａ、１８ｂの下端部を縦フレーム材１３ａ、１３ｂから取り外した状態を示す図である。また、図５Ｂは、ステー部材１８ａ、１８ｂを横フレーム材１２ｂに沿って係止した状態を示す図である。
図５Ａに示すように、ステー部材１８ａ、１８ｂは、それぞれ頭付ピン２５ａ、２５ｂに軸支され、自重によって垂れ下がった状態となっている。この状態は、上述した図３Ａに示す状態と同一である。ここで、ステー部材１８ａ、１８ｂの長溝２４ａ1、２４ｂ1と頭付ピン２５ａ、２５ｂとの間には、ステー部材１８ａ、１８ｂが、頭付ピン２５ａ、２５ｂの軸方向に、それぞれ移動できる程度の隙間が設定されている。また、ステー部材１８ａ、１８ｂには、中心よりも下端側であって、互いに相反する方向に開口する切り欠き部３７ａ、３７ｂが形成されている。より具体的に説明すると、切り欠き部３７ａ、３７ｂは、それぞれの頭付ピン２５ａ、２５ｂから、頭付ピン２５ａと頭付ピン２５ｂとの間の距離、離間した位置に形成されている。
【００２９】
ここで、ステー部材１８ａ、１８ｂを横フレーム材１２ｂに係止する場合、まず、頭付ピン２５ａを中心として、ステー部材１８ａを矢印Ｅ方向に回転させる。そして、切り欠き部３７ａを頭付ピン２５ｂに係止させる。同様に、頭付ピン２５ｂを中心として、ステー部材１８ｂを矢印Ｆ方向に回転させる。そして、図５Ｂに示すように、切り欠き部３７ｂを頭付ピン２５ａに係止させる。同様に、他のステー部材１８ｃ〜１８ｆについても、横フレーム材１２ｃ、１２ｄに沿って係止することができる。
このように、ステー部材１８ａ〜１８ｆを、横フレーム材１２ｂ〜１２ｄに沿って係止させることができるので、フレーム体１０を折り畳む場合に、ステー部材１８ａ〜１８ｆが邪魔にならない。
【００３０】
また、上述では、フレーム体１０を折り畳む場合に、仕切り体５０を取り外した状態の図を参照して説明した。しかし、実際には、フレーム体１０を折り畳んだり、組み立てたりする場合には、仕切り体５０はフレーム体１０に取り付けられたままである。すなわち、図１に示すように、仕切り体５０がフレーム体１０内に配置され、横フレーム材１２ａ〜１２ｄに吊り下げられたままで、フレーム体１０を折り畳んだり、組み立てたりすることができる。これは、フレーム体１０は常に仕切り体５０の外側、すなわち仕切り体５０から露出した状態であるため、フレーム体１０を折り畳んだり、組み立てたりする場合であっても、仕切り体５０が邪魔にならないからである。また、仕切り体５０は、上述したように、柔軟性がある材質により形成されているので、折畳み式ルームユニット１００が折り畳まれた状態であっても、折り畳まれたフレーム体１０内に縮小された状態で収めることができる。なお、必要に応じて仕切り体５０を予め取り外してもよい。
【００３１】
上述した説明では、折畳み式ルームユニット１００を折り畳む動作のみについて、説明したが、折り畳む動作と反対の動作を行うことにより、折畳み式ルームユニット１００を組み立てることができる。このとき、複数の縦フレーム材１３ａ〜１３ｄの構成は、それぞれ同様なので簡単に組み立てることができる。なお、このとき、仕切り体５０は、横フレーム材１２ａ〜１２ｄに取り付けられているだけなので、フレーム体１０を組み立てると、自然にフレーム体１０内で広がり、フレーム体１０内に配置させることができる。
【００３２】
このように本実施形態によれば、複数の縦フレーム材１３ａ〜１３ｄと複数の横フレーム材１１ａ〜１１ｄ、１２ａ〜１２ｄとの接続部及び複数の縦フレーム材１３ａ〜１３ｄの略中央部を折り曲げるだけで、折畳み式ルームユニット１００を簡単にコンパクトに折り畳むことができる。また、折畳み式ルームユニット１００を組み立てる場合であっても、折り畳まれた複数の縦フレーム材１３ａ〜１３ｄと複数の横フレーム材１１ａ〜１１ｄ、１２ａ〜１２ｄとの接続部及び複数の縦フレーム材１３ａ〜１３ｄの略中央部を伸長させるだけで、折畳み式ルームユニット１００を簡単に組み立てることができる。したがって、組み立てたり折り畳んだりすることに慣れていない使用者であっても、折畳み式ルームユニット１００を簡単に組み立てたり折り畳んだりすることができる。
【００３３】
なお、上述した説明では、フレーム体１０は、床面に配設される複数の横フレーム材１１ａ〜１１ｄを含む場合について説明したが、フレーム体１０には、複数の横フレーム材１１ａ〜１１ｄが構成されていなくともよい。すなわち、フレーム体１０は、複数の横フレーム材１２ａ〜１２ｄと複数の縦フレーム材１３ａ〜１３ｄとから構成されていてもよい。
【図面の簡単な説明】
【００３４】
【図１】簡易折畳み式ルームユニットの概略構成を示す図である。
【図２Ａ】組み立てられた状態のフレーム体の概略構成を示す図である。
【図２Ｂ】組み立てられた状態の縦フレーム材の構成を示す拡大図である。
【図３Ａ】折り曲げられている状態のフレーム体の概略構成を示す図である。
【図３Ｂ】折り曲げられている状態の縦フレーム材の構成を示す拡大図である。
【図４Ａ】折り畳まれた状態のフレーム体の概略構成を示す図である。
【図４Ｂ】折り畳まれた状態の縦フレーム材の構成を示す図である。
【図５Ａ】ステー部材を回動させる前の状態を示す図である。
【図５Ｂ】ステー部材を回動させた後の状態を示す図である。
【符号の説明】
【００３５】
１００    簡易折畳み式ルームユニット
２００    スポットクーラ（空調装置）
１０      フレーム体
１１ａ〜１１ｄ  横フレーム材
１２ａ〜１２ｄ  横フレーム材
１３ａ〜１３ｄ  縦フレーム材
１８ａ〜１８ｆ  ステー部材
２１ａ    上ヒンジ体
２８ａ    中ヒンジ体
３１      サポート部材
３６ａ    下ヒンジ体
５０      仕切り体
５３      挿入口
【図１】
0003148139.tif 000003
【図２Ａ】
0003148139.tif 000004
【図２Ｂ】
0003148139.tif 000005
【図３Ａ】
0003148139.tif 000006
【図３Ｂ】
0003148139.tif 000007
【図４Ａ】
0003148139.tif 000008
【図４Ｂ】
0003148139.tif 000009
【図５Ａ】
0003148139.tif 000010
【図５Ｂ】
0003148139.tif 000011